(57)【要約】【課題】  食品容器の密閉状態と通気状態が直ちに判別でき、食品の保存と電子レンジによる加熱が同一容器のまま簡便に行うことができる食品加熱容器を提供する。【解決手段】    容器本体及びこれを封止する蓋体からなる食品加熱容器であって、該蓋体は容器本体に対する相対的な取り付け位置により変更された容器の気密性に応じて、容器本体に設けられた異なる表示を目視できる表示窓を設けてなる食品加熱容器。  【選択図】    図１
0003141994.tif 000002
【実用新案登録請求の範囲】
【請求項１】
容器本体及びこれを封止する蓋体からなる食品加熱容器であって、該蓋体は容器本体に対する相対的な取り付け位置により異なる当該容器の気密性に応じて、容器本体に設けられた異なる表示をあらわす表示窓を設けてなる食品加熱容器。
【請求項２】
容器本体の異なる表示が、容器本体の開口部上縁に設けた本体把手に設けられた表示である請求項１の食品加熱容器。
【請求項３】
蓋体に本体把手に対応した複数の蓋把手を設け、該蓋把手の１つに本体把手の表示を透過目視できる表示窓を設けてなる請求項２の食品加熱容器。
【請求項４】
容器本体の異なる表示が食品の保存とレンジ調理を示す表示である請求項１の食品加熱容器。
【請求項５】
前記食品加熱容器は、本体上縁に設けられた被嵌合部が蓋体の周縁部に設けられた嵌合部に嵌合し、前記嵌合部と被嵌合部のいずれか一方には、これらの間に隙間を形成する凸部が形成されると共に他方には凸部に嵌まり合う形状の凹部が形成され、容器本体に対する蓋体の取り付け位置により前記凸部と凹部が嵌まり合う密閉状態の嵌合と、凸部が凹部に嵌まることなく嵌合部と被嵌合部との間に隙間が形成される通気状態の嵌合が形成される請求項１の食品加熱容器。
【考案の詳細な説明】
【技術分野】
【０００１】
本考案は食品加熱容器に関する。本考案の食品加熱容器は、惣菜、ご飯、スープなどの食品を保存し、必要に応じて容器ごと電子レンジで温めることができる食品加熱容器に関する。
【背景技術】
【０００２】
調理済みの食品、冷凍食品、その他の食品を常温又は冷蔵庫、冷凍庫に保存した後、食事に際して電子レンジで加熱することは調理に際し家庭などでしばしば行われる。このような電子レンジを使用した加熱において、保存中の食品を保存用容器のまま加熱に供することができれば炊事の手間から非常に好ましい。このような保存・加熱兼用の食品容器は保存中、内部の食品が外部に漏れ出ないよう容器本体と蓋体は密閉されている必要があり、一方、加熱時には内部の膨張した気体を容器より放出して容器の変形や破損により食品が飛散することを防止する必要がある。
【０００３】
このような容器として、従来、加熱時に内部気体を放出する通気孔を蓋体に設けた食品加熱容器、また、本体へ取り付ける蓋体の表裏により気密性の有無が異なる食品加熱容器などの提案がある。前者の容器では蓋体に形成された通気孔から埃などが容器内に入り込むおそれがあり衛生上好ましくなく外観上もよくない。後者の食品容器は、加熱時には蓋が単に容器開口部に載置されて内部の気体を放出する構造のため、加熱中、本体から蓋が外れ内容物が飛散する懸念がある。これらの点を解消する食品加熱容器として、特開２００２−３６２６４７号公報には、本体と蓋体とを取り付ける嵌合部分の各々に凸部又は凹部を形成し、本体への蓋体の取り付け位置により前記凹凸が嵌まり合う密閉状態、或いは嵌まり合わずに嵌合部分に隙間が生じ通気状態の２種が生じる加熱容器についての提案がある。
【０００４】
【特許文献１】実開平１−８５２８７
【特許文献２】特開２００２−３６２６４７
【考案の開示】
【考案が解決しようとする課題】
【０００５】
しかしながら、前記公報に開示の食品加熱容器では容器の閉塞状態が「保存」に対応しているか、「加熱」に対応しているか、蓋体の取り付け位置(角度)が容器本体に対して異なっているに過ぎず、この点を炊事の最中に一見して判別することは煩わしい。
本考案の目的は、容器本体及びこれを密に封じる蓋体からなる食品加熱容器であって、該蓋体は容器本体に対する相対的な取り付け位置に応じて、容器の密閉状態と通気状態が直ちに判別できる食品加熱容器を提供することにある。
【課題を解決するための手段】
【０００６】
本考案は容器本体及びこれを封止する蓋体からなる食品加熱容器であって、該蓋体は容器本体に対する相対的な取り付け位置により異なる当該容器の気密性に応じて、容器本体に設けられた異なる表示をあらわす表示窓を設けてなる食品加熱容器を提供するものである。
また、容器本体の異なる表示は容器本体の開口部上縁に設けた本体把手に設けられた表示であるのが好ましく、蓋体に本体把手に対応した複数の蓋把手を設け、該蓋把手の１つに本体把手の表示を透過目視できる表示窓を設けるのが好ましい。容器本体の異なる表示は食品の保存とレンジ調理を示す表示であるのが好ましい。
さらに、本考案において、前記食品加熱容器は本体上縁に設けられた被嵌合部が蓋体の周縁部に設けられた嵌合部に嵌合し、前記嵌合部と被嵌合部のいずれか一方には、これらの間に隙間を形成する凸部が形成されると共に他方には凸部に嵌まり合う形状の凹部が形成され、容器本体に対する蓋体の取り付け位置により前記凸部と凹部が嵌まり合う密閉状態の嵌合と、凸部が凹部に嵌まることなく嵌合部と被嵌合部との間に隙間が形成される通気状態の嵌合が形成されるのがよい。
【考案の効果】
【０００７】
本考案の食品加熱容器によれば、容器本体に対する蓋体の相対的な取り付け位置により生ずる密閉状態と通気状態の相異を容器の外見から直ちに目視判別することができ、食品の保存と電子レンジによる加熱が同一容器のまま簡便に行うことができ調理時の煩わしさから解放される。
【考案を実施するための最良の形態】
【０００８】
つぎに図面を参照しながら本考案の食品加熱容器を具体例により更に詳細に説明する。図１は本考案の食品加熱容器において、蓋体を容器本体よりはずしたところを示す斜視図である。図２は容器本体及びこれに被せる蓋体を示す斜視図である。図３は本考案の食品加熱容器において蓋体を本体に被せたところを示す斜視図である。図４及び図５は、各々図２のＡ−Ａ線、Ｂ−Ｂ線にて破断された斜視図である。図６は図３のＣ−Ｃ線にて破断した斜視図である。
【０００９】
図１〜４において、本考案の食品加熱容器は容器本体１０と蓋体２０からなる。容器本体１０は水平断面において実質的に円形で上部にほぼ円形の開口を有する。また蓋体２０は前記容器本体の開口上縁に対応した形状を有し本体１０に被せられる。
【００１０】
容器本体１０の開口上縁には、前記蓋体２０に対応した形状を備えて蓋体２０に気密に嵌まり込む被嵌合部１１が形成される(図４参照)。また、本体１０の上縁には、開口に対して対向する２箇所に水平方向に耳状に張り出した２つの本体把手１４ａ、１４ｂが設けられ、これらの上面には各々「保存」「レンジ」など調理に関する表示がなされる。また、本体１０の上縁には前記本体把手から開口に関し９０°回った箇所に本体上縁を下方に切り込んだ凹部１３ａが１箇所設けられ、他方、表示部から逆方向にほぼ６０°、１２０°回った箇所に各々１箇所ずつの凹部１３ｂ、１３ｃが設けられる。
【００１１】
一方、蓋体２０の周縁には図４に示すように本体１０の被嵌合部１１が嵌まり込む環状の嵌合溝２１を有する嵌合部２２が設けられ、該嵌合溝２１は溝の奥に向かって幅が狭くなるテーパーを形成する。該蓋体２０の嵌合部２２の周縁には、調理に関し本体に表示した本体把手１２ａ、１２ｂに対応し対向する２箇所に、水平方向に耳状に張り出した蓋把手２４ａ、２４ｂが形成される。
図５に示すように、蓋把手の一方２４ｂは成形体で覆われ本体把手１４ｂの表示を目視できないよう遮蔽カバー２６が設けられ、他方の蓋把手２４ａはその中央部に透孔２５が形成され、前記本体把手１４ａに設けた調理に関する「保存」、「レンジ」などの表示が目視できる。
【００１２】
また、蓋体２０の嵌合溝２１には前記容器本体２０の上縁に設けた各切り込みである凹部に対応し、これに嵌まりこむ凸部が設けられる。すなわち、前記表示カバーから環状の嵌合溝を９０°回った箇所に溝から突出する凸部２３ａが１箇所、他方、逆方向にほぼ６０°、１２０°回った箇所にも各々１箇所ずつ凸部２３ｂ、２３ｃが設けられる。
図５、図６に示すように、蓋把手は蓋体の上縁に設けた３つの凸部が本体１０の３つの凹部に嵌まり込んだ状態で、本体１０の本体把手１４ａに表示の「保存」を蓋把手２４ａの透孔２５が被さるように設定されており食品が気密に保たれた「保存状態」であることを明瞭に表示する。
【００１３】
これに対して、本体に対する蓋体の取り付けを１８０°入れ替えると、蓋体の３つの凸部は本体の凹部に嵌まり込むことなく、本体の上縁に当接し、蓋体が僅かに持ち上がってテーパーをなす蓋体の嵌合溝２１と本体１０の被嵌合部１１との間に僅かな隙間ができて通気性が生じ、電子レンジを用いた加熱に供することができる。このようにして、本考案の容器に保存した食品は他の容器に移し替えることなく、蓋の位置を変えるだけで直ちに電子レンジで加熱することができ、かつこの蓋の位置の状態を一見して判別することができ、調理の際の煩わしさもなく安全に食品の保存、加熱を行うことができる。
なお、容器の密閉・通気を制御する凹部、凸部の数、位置は本具体例に限定されず、本体に対する蓋体の取り付け位置を替えた場合に、密閉状態と通気状態とが生じるように様々な位置、個数に設計変更することができる。また、蓋体の前記透孔は本体に記載の表示が目視できればよく、透明板であってもよい。
【００１４】
本考案の食品加熱容器にはこのような食品用のプラスチック容器に汎用の各種材料がいずれも用いられてよく、通常、ポリプロピレン、ポリスチレンなど種々のプラスチックにより成形することができる。
【産業上の利用可能性】
【００１５】
この食品加熱容器は容器本体に対する蓋体の相対的な取り付け位置により生ずる密閉状態と通気状態の相異を容器の外見から直ちに判別することができ調理時の煩わしさから解放される。
【図面の簡単な説明】
【００１６】
【図１】本考案の食品加熱容器の容器本体より蓋体をはずしたところを示す斜視図である。
【図２】本考案の容器本体及びこれに被せる蓋体を示す斜視図である。
【図３】本考案の食品加熱容器の本体に蓋体を被せたところを示す斜視図である。
【図４】図２のＡ−Ａ線にて破断した本考案容器の斜視図である。
【図５】図２のＢ−Ｂ線にて破断した本考案容器の斜視図である。
【図６】図３のＣ−Ｃ線にて破断した斜視図である。
【符号の説明】
【００１７】
１０  容器本体    ２０  蓋体    １１  被嵌合部
１３ａ、１３ｂ、１３ｃ  凹部        １４ａ、１４ｂ  本体把手          
２１  嵌合溝      ２２  嵌合部
２３ａ、２３ｂ、２３ｃ  凸部        ２４ａ、２４ｂ  蓋把手
２５  透孔        ２６  遮蔽カバー
【図１】
0003141994.tif 000003
【図２】
0003141994.tif 000004
【図３】
0003141994.tif 000005
【図４】
0003141994.tif 000006
【図５】
0003141994.tif 000007
【図６】
0003141994.tif 000008